(57)【要約】【課題】従来のものと比較して、省スペース化・省エネルギ化に優れ、且つ設備コストが低減されるデシカント空調システムを提供する。【解決手段】吸湿部１ａに通流される気体の水分を吸着し、その吸着した水分を再生部１ｂに通流される気体に放出する除湿ロータ１と、第１熱交換部２ａに通流される気体の顕熱を回収し、その回収した顕熱を第２熱交換部２ｂに通流される気体に放出する顕熱回収ロータ２と、吸湿部１ａ、第１熱交換部２ａの順に通過させる状態で夫々に空調用空気を通流させて、空調用空気を空調対象空間６に供給する空調用空気通流手段３と、空調対象空間６からの環気を、第２熱交換部２ｂ、再生部１ｂの順に通過させる再生用気体通流手段４とを備え、除湿ロータ１と顕熱回収ロータ２とを同心円状に配置し、一体化してあるデシカント空調システム。【選択図】図１
2008249271.tif 000002
【特許請求の範囲】
【請求項１】
回転駆動される通気性吸湿体からなり、吸湿部に通流される気体の水分を吸着し、その吸着した水分を再生部に通流される気体に放出する除湿ロータと、
回転駆動される通気性熱交換体からなり、第１熱交換部に通流される気体の顕熱を回収し、その回収した顕熱を第２熱交換部に通流される気体に放出する顕熱回収ロータと、
前記除湿ロータの吸湿部、前記顕熱回収ロータの第１熱交換部の順に通過させる状態で夫々に空調用空気を通流させて、前記空調用空気を空調対象空間に供給する空調用空気通流手段と、
前記空調対象空間からの環気を、前記顕熱回収ロータの第２熱交換部、前記除湿ロータの再生部の順に通過させる再生用気体通流手段と、
を備え、前記除湿ロータと前記顕熱回収ロータとを同心円状に配置し、一体化してあるデシカント空調システム。
【請求項２】
前記除湿ロータを円筒状に形成し、その除湿ロータの外周部に環状に形成した前記顕熱回収ロータを結合してある請求項１に記載のデシカント空調システム。
【請求項３】
回転駆動される通気性吸湿体からなり、吸湿部に通流される気体の水分を吸着し、その吸着した水分を再生部に通流される気体に放出する除湿ロータと、
回転駆動される通気性熱交換体からなり、第１熱交換部に通流される気体の顕熱を回収し、その回収した顕熱を第２熱交換部に通流される気体に放出する顕熱回収ロータと、
を備え、前記除湿ロータと前記顕熱回収ロータとを同心円状に配置し、一体化してあるデシカントユニット。
【請求項４】
前記除湿ロータを円筒状に形成し、その除湿ロータの外周部に環状に形成した前記顕熱回収ロータを結合してある請求項３に記載のデシカントユニット。
【発明の詳細な説明】
【技術分野】
【０００１】
本発明は、回転駆動される通気性吸湿体からなり、吸湿部に通流される気体の水分を吸着し、その吸着した水分を再生部に通流される気体に放出する除湿ロータと、回転駆動される通気性熱交換体からなり、第１熱交換部に通流される気体の顕熱を回収し、その回収した顕熱を第２熱交換部に通流される気体に放出する顕熱回収ロータと、前記除湿ロータの吸湿部、前記顕熱回収ロータの第１熱交換部の順に通過させる状態で夫々に空調用空気を通流させて、前記空調用空気を空調対象空間に供給する空調用空気通流手段と、前記空調対象空間からの環気を、前記顕熱回収ロータの第２熱交換部、前記除湿ロータの再生部の順に通過させる再生用気体通流手段とを備えたデシカント空調システム、及び当該デシカント空調システムに使用するデシカントユニットに関する。
【背景技術】
【０００２】
近年、フロンを使用しない空調システムとして、デシカントユニットを備えたデシカント空調システムが注目されている。
かかるデシカント空調システムとして、従来、外気中の水分を吸着除去し、その水分を再生部に通流させる空気に放出する除湿ロータと、除湿後の空気と室内の還気との顕熱交換を行う顕熱回収ロータとを、外気又は還気の通流経路に沿って並設配置した除湿空調機があった（例えば、特許文献１を参照）。
【０００３】
図５に、特許文献１に代表される従来のデシカントを用いたデシカント空調システム１００の概略構成図を示す。このデシカント空調システム１００は、全外気方式の空調システムとして構築されている。
【０００４】
外気ファン５１によって取り込まれた外気は、吸着剤を収納した除湿ロータ５２の除湿ゾーン５２ａに導入される。外気が除湿ゾーン５２ａを通過する際、その外気に含まれる水分が吸着剤によって吸着され、同時に吸着剤が水和反応等によって発熱する。このため、除湿ロータ５２の除湿ゾーン５２ａを通過した除湿処理後の空気は、高温・低湿度状態となっている。この高温・低湿度状態の空気は、次いで顕熱回収ロータ５３の外気導入ゾーン５３ａに導入され、排気ファン５４を駆動させることによって空調対象空間（室内）５５から導入された還気との間で顕熱交換が行われ、適温に冷却される。
【０００５】
このようにして、空調対象区間に給気される空気は、除湿処理が行われると同時に温度調整が行われる。なお、除湿ロータ５２及び顕熱回収ロータ５３は、図示しない駆動モータによって、矢印で示す方向に個別に回転駆動されている。これにより、除湿処理及び温度調整は連続的に実行される。
【０００６】
一方、空調対象空間内から顕熱回収ロータ５３に導入される還気は、顕熱回収ロータ５３の還気導入ゾーン５３ｂを通過する際に、前記の高温・低湿度状態の空気と顕熱交換が行われて昇温される。顕熱回収ロータ５３を通過した空気は、次いで再生コイル（ヒータ）５６を通ってさらに加熱・昇温され、除湿ロータ５２の再生ゾーン５２ｂに導入される。この加熱された高温の空気は除湿ロータ５２から脱離した水分を受け取った後、室外に排出される。
【０００７】
【特許文献１】特開平５−１１５７３７号公報
【発明の開示】
【発明が解決しようとする課題】
【０００８】
このように、従来のデシカント空調システムは、除湿工程と顕熱交換工程とを別個のロータで実行するように構成されていた。このため、デシカント空調システム全体のサイズ（設置空間及び設置面積）が大きくなってしまうという問題があった。特に、デシカント空調システムを一般家庭用住宅設備として実現するためには、例えば、住宅の天井裏等にシステム全体を収納できることが望まれるが、従来の構成では設置スペースや装置重量等の点から実現は困難であった。
【０００９】
また、従来のデシカント空調システムでは、その構造上、除湿ロータと顕熱回収ロータとを別々に回転駆動させることになるため、複数の駆動モータが必要であった。このため、デシカント空調システム全体のサイズが大きくなるという上記と同様の問題に加え、設備コストやエネルギコストが高くなってしまうという問題もあった。
【００１０】
本発明は、上記問題点に鑑みてなされたものであり、従来のものと比較して、省スペース化・省エネルギ化に優れ、且つ設備コストが低減されるデシカント空調システム、及びデシカントユニットを提供することを目的とする。
【課題を解決するための手段】
【００１１】
本発明にかかるデシカント空調システムの特徴構成は、回転駆動される通気性吸湿体からなり、吸湿部に通流される気体の水分を吸着し、その吸着した水分を再生部に通流される気体に放出する除湿ロータと、回転駆動される通気性熱交換体からなり、第１熱交換部に通流される気体の顕熱を回収し、その回収した顕熱を第２熱交換部に通流される気体に放出する顕熱回収ロータと、前記除湿ロータの吸湿部、前記顕熱回収ロータの第１熱交換部の順に通過させる状態で夫々に空調用空気を通流させて、前記空調用空気を空調対象空間に供給する空調用空気通流手段と、前記空調対象空間からの環気を、前記顕熱回収ロータの第２熱交換部、前記除湿ロータの再生部の順に通過させる再生用気体通流手段とを備え、前記除湿ロータと前記顕熱回収ロータとを同心円状に配置し、一体化してある点にある。
【００１２】
デシカント空調システムの除湿ロータ及び顕熱回収ロータはともに、駆動モータによって回転駆動される回転部材である。従来では、除湿ロータ及び顕熱回収ロータを別個に設け、それらを別々に回転駆動させていたが、これではスペース効率やエネルギ効率が悪く、不経済である。
そこで、本構成のデシカント空調システムでは、除湿ロータと顕熱回収ロータとを同心円状に配置し、一体化してある。これにより、除湿ロータと顕熱回収ロータとを別個に設けた場合と比較して、省スペース化を実現することができる。また、除湿ロータと顕熱回収ロータとを一体化したことにより、両者を共通の駆動モータで回転駆動させることができる。このため、駆動モータを複数台設ける必要があった従来の構成と比較して、スペース効率が優れるとともに、エネルギコスト及び設備コストを低減することができる。
【００１３】
本発明にかかるデシカント空調システムにおいて、前記除湿ロータを円筒状に形成し、その除湿ロータの外周部に環状に形成した前記顕熱回収ロータを結合してあることが好ましい。
【００１４】
通気性吸収体からなる除湿ロータには、吸湿体が含まれているとともに、この吸湿体は多量の水分を吸収する。このため、除湿ロータと顕熱回収ロータとの有効面積（気体の通過可能面積）が同一であれば、通常、除湿ロータは顕熱回収ロータよりも重量が大きくなる。
また、顕熱回収ロータでは、除湿ロータを通過した比較的高温の空気と空調対象空間（室内）から導入される比較的低温の還気との顕熱交換が行われるが、このとき顕熱回収ロータに熱が蓄積してこもり易い。従って、顕熱回収ロータに蓄積された熱を空気中に放散することが望ましい。
そこで、本構成のデシカント空調システムでは、除湿ロータを円筒状に形成し、その除湿ロータの外周部に環状に形成した顕熱回収ロータを結合してある。この構成では、一体物のロータ（デシカントユニット）において、重量が大きくなる除湿ロータが内側（中心側）に配置され、熱の放散が行われる顕熱回収ロータが外側（円周側）に配置される。このため、ロータの回転バランスが優れ、スムーズな回転が可能になるとともに、外側の顕熱回収ロータから効率よく熱を空気中に放散することができる。
【００１５】
本発明にかかるデシカントユニットの特徴構成は、回転駆動される通気性吸湿体からなり、吸湿部に通流される気体の水分を吸着し、その吸着した水分を再生部に通流される気体に放出する除湿ロータと、回転駆動される通気性熱交換体からなり、第１熱交換部に通流される気体の顕熱を回収し、その回収した顕熱を第２熱交換部に通流される気体に放出する顕熱回収ロータとを備え、前記除湿ロータと前記顕熱回収ロータとを同心円状に配置し、一体化してある点にある。
【００１６】
デシカントユニットの除湿ロータ及び顕熱回収ロータはともに、駆動モータによって回転駆動される回転部材である。従来では、除湿ロータ及び顕熱回収ロータを別個に設け、それらを別々に回転駆動させていたが、これではスペース効率やエネルギ効率が悪く、不経済である。
そこで、本構成のデシカントユニットでは、除湿ロータと顕熱回収ロータとを同心円状に配置し、一体化してある。これにより、除湿ロータと顕熱回収ロータとを別個に設けた場合と比較して、省スペース化を実現することができる。また、除湿ロータと顕熱回収ロータとを一体化したことにより、両者を共通の駆動モータで回転駆動させることができる。このため、駆動モータを複数台設ける必要があった従来の構成と比較して、スペース効率が優れるとともに、エネルギコスト及び設備コストを低減することができる。
【００１７】
本発明にかかるデシカントユニットにおいて、前記除湿ロータを円筒状に形成し、その除湿ロータの外周部に環状に形成した前記顕熱回収ロータを結合してあることが好ましい。
【００１８】
通気性吸収体からなる除湿ロータには、吸湿体が含まれているとともに、この吸湿体は多量の水分を吸収する。このため、除湿ロータと顕熱回収ロータとの有効面積（気体の通過可能面積）が同一であれば、通常、除湿ロータは顕熱回収ロータよりも重量が大きくなる。
また、顕熱回収ロータでは、除湿ロータを通過した比較的高温の空気と空調対象空間（室内）から導入される比較的低温の還気との顕熱交換が行われるが、このとき顕熱回収ロータに熱が蓄積してこもり易い。従って、顕熱回収ロータに蓄積された熱を空気中に放散することが望ましい。
そこで、本構成のデシカントユニットでは、除湿ロータを円筒状に形成し、その除湿ロータの外周部に環状に形成した顕熱回収ロータを結合してある。この構成では、一体物のデシカントユニットにおいて、重量が大きくなる除湿ロータが内側（中心側）に配置され、熱の放散が行われる顕熱回収ロータが外側（円周側）に配置される。このため、デシカントユニットの回転バランスが優れ、スムーズな回転が可能になるとともに、外側の顕熱回収ロータから効率よく熱を空気中に放散することができる。
【発明を実施するための最良の形態】
【００１９】
以下、本発明の実施形態を図面に基づいて説明する。なお、本発明は以下の実施形態および図面に記載した構成に限定されるものではなく、これらと均等な構成や改変した構成等も含む。
【００２０】
〔概略構成〕
図１は、本発明の一つの実施形態によるデシカントユニット１０を備えたデシカント空調システム５０の概略構成図である。
【００２１】
デシカント空調システム５０は、除湿ロータ１と顕熱回収ロータ２とを同心円状に配置し、一体化してあるデシカントユニット１０を備える。本実施形態のデシカントユニット１０では、除湿ロータ１を円筒状に形成し、その除湿ロータ１の外周部に環状に形成した顕熱回収ロータ２を結合してある。このデシカントユニット１０は、図示しない駆動モータによって、矢印に示す方向に一体的に回転駆動される。
【００２２】
除湿ロータ１は、除湿ゾーン１ａと再生ゾーン１ｂとから構成される。図１に示す例では、除湿ゾーン１ａ及び再生ゾーン１ｂは、除湿ロータ１の中心角が１８０度をなす二つの径方向仕切りによって、除湿ゾーン１ａの有効面積と再生ゾーン１ｂの有効面積とが等しくなるように区分けされている。
【００２３】
顕熱回収ロータ２は、第１熱交換部である外気導入ゾーン２ａと第２熱交換部である還気導入ゾーン２ｂとを有する。図１に示す例では、外気導入ゾーン２ａ及び還気導入ゾーン２ｂは、顕熱回収ロータ２の中心角が１８０度をなす二つの径方向仕切りによって、外気導入ゾーン２ａの有効面積と還気導入ゾーン２ｂの有効面積とが等しくなるように区分けされている。
【００２４】
除湿ロータ１における除湿ゾーン１ａと再生ゾーン１ｂとの区分け、ならびに顕熱回収ロータ２における外気導入ゾーン２ａと還気導入ゾーン２ｂとの区分けは、上述のような各ロータの中心角を１８０度とする二つの径方向仕切りによる二等分の区分けに限られない。例えば、外気又は空調対象空間の空気（還気）の湿度が比較的低い場合は、除湿ゾーン１ａ及び外気導入ゾーン２ａの有効面積を、再生ゾーン１ｂ及び還気導入ゾーン２ｂの有効面積より夫々小さくすることができる。この場合、除湿ロータ１及び顕熱回収ロータ２において、夫々の二つの径方向仕切りがなす中心角を１８０度未満に設定する。
【００２５】
また、除湿ロータ１における除湿ゾーン１ａの有効面積と再生ゾーン１ｂの有効面積との比は、顕熱回収ロータ２における外気導入ゾーン２ａの有効面積と還気導入ゾーン２ｂの有効面積との比と異なっていてもよい。
【００２６】
本発明のデシカントユニット１０では、外気又は環気の湿度、温度、流量等の条件に応じて、除湿ロータ１における除湿ゾーン１ａと再生ゾーン１ｂとの区分け、及び顕熱回収ロータ２における外気導入ゾーン２ａと還気導入ゾーン２ｂとの区分けを、除湿ロータ１及び顕熱回収ロータ２の二つの径方向仕切りがなす中心角の調節により任意に設定することができる。
【００２７】
なお、本実施形態のデシカント空調システム５０は、上記デシカントユニット１０の他に、外気ファン３、排気ファン４、再生コイル５等を備えているが、これらの周辺装置については、以下の「具体的構成」において説明する。
【００２８】
〔具体的構成〕
次に、デシカントユニット１０、及びデシカント空調システム５０の具体的構成について説明する。
【００２９】
デシカントユニット１０の内側（中心側）に配置される円筒状の除湿ロータ１は、その回転軸に平行な方向に気体を通流可能にするべく、例えばハニカム構造体で構成される。除湿ロータ１は、さらに、前記気体中の水分を吸収する吸湿体を収納している。吸湿体は、ハニカム構造体に坦持させることができる。これにより、通気性吸収体が構成される。あるいは、ハニカム構造体自身を吸湿体で構成してもよい。
吸湿体には、無機吸湿体又は有機吸湿体を使用することができる。無機吸湿体を構成する物質としては、例えば、シリカゲル、ゼオライト、酸化チタン等が挙げられる。これらの無機吸湿体は単独使用のみならず、混合物としても使用することができる。有機吸湿体を構成する物質としては、吸水性ポリマー又は感温性ポリマーが好適である。吸水性ポリマー又は感温性ポリマーの例としては、ポリアクリル酸塩系ポリマー、アクリルアミド系ポリマー、イソブチレン／マレイン酸塩系ポリマーブレンド、デンプン／ポリアクリル酸塩系ポリマーブレンド、ポリビニルアルコール（ＰＶＡ）／ポリアクリル酸塩系ポリマーブレンド、デンプン／アクリルアミド／ポリアクリル酸塩系ポリマーブレンド、架橋ＰＶＡ系ポリマー、架橋カルボキシメチルセルロース（ＣＭＣ）系ポリマー等が挙げられる。これらの有機吸湿体は単独使用のみならず、混合物としても使用することができる。有機吸湿体としてより好適であるのは、吸湿能力が高いポリアクリル酸塩系ポリマー又はアクリルアミド系ポリマーである。
【００３０】
デシカントユニット１０の外側（円周側）に配置される環状の顕熱回収ロータ２は、その回転軸に平行な方向に気体を通流可能にするべく、例えばハニカム構造体で構成される。このハニカム構造体は、気体間において熱交換を行う通気性熱交換体となる。ハニカム構造体の材質としては、例えば、鉄、ステンレス、銅、アルミニウム等の金属、ポリエチレンテレフタレート（ＰＥＴ）、フッ素樹脂、ポリスチレン（ＰＳ）、ポリカーボネート（ＰＣ）等の樹脂が挙げられる。特に、ＰＥＴは、軽量であることに加え、加工容易性、取扱い容易性等の点において優れているため、ハニカム構造体として好適である。
【００３１】
外気ファン３は、室外の空気（すなわち、外気）を空調対象空間６である室内に空調用空気として給気するための空調用空気通流手段である。排気ファン４は、室内の空気（すなわち、還気）をデシカントユニット１０の再生に使用した後、室外に排気するための再生用気体通流手段である。従って、外気ファン３及び排気ファン４は、気体の通流方向（送風方向）が互いに逆方向になるように配置される。外気ファン３及び排気ファン４としては、従来公知の電動式ブロア等を使用することができる。
【００３２】
再生コイル５は、除湿ロータ１に導入する空気の温度を上昇させるための加熱装置である。再生コイル５は、例えば、４０〜１５０℃の範囲で温度調節をすることができる。再生コイル５により加熱された高温の空気は、湿度が低下することになる。従って、このような高温の空気を除湿ロータ１の再生ゾーン１ｂに導入することにより、除湿ロータ１に含まれる水分が脱離して空気中に移動し、これにより除湿ロータ２を再生することができる。再生コイル５の熱源としては、例えば、ガス温水器の温水、コージェネレーションシステムの排熱温水、電気温水器の温水、ガスヒートポンプ給湯器の温水等を利用することができる。その他、再生コイル５の代わりに電気ヒータ等の専用の加熱設備を設けてもよい。
【００３３】
以上のように構成した本実施形態のデシカントユニット１０、及びデシカント空調システム５０では、除湿ロータ１と顕熱回収ロータ２とを同心円状に配置し、一体化してあるので、除湿ロータ１と顕熱回収ロータ２とを別個に設けた場合と比較して、省スペース化を実現することができる。
【００３４】
また、除湿ロータ１と顕熱回収ロータ２とを一体化したことにより、両者を共通の駆動モータで回転駆動させることができるため、駆動モータを複数台設ける必要があった従来の構成と比較して、スペース効率が優れるとともに、エネルギコスト及び設備コストを低減することができる。
【００３５】
さらに、除湿ロータ１を円筒状に形成し、その除湿ロータ１の外周部に環状に形成した顕熱回収ロータ２を結合して一体物としてあるが、この構成によれば、重量が大きくなる除湿ロータ１が内側（中心側）に配置され、熱の放散が行われる顕熱回収ロータ２が外側（円周側）に配置される。このため、デシカント空調システム５０を構成するデシカントユニット１０の回転バランスが優れ、スムーズな回転が可能になるとともに、外側の顕熱回収ロータ２から効率よく熱を空気中に放散することができる。
【００３６】
〔デシカント空調システムによる処理工程〕
次に、本発明のデシカントユニット１０を備えたデシカント空調システム５０によって行われる室外の空気（外気）及び空調対象空間である室内の空気（還気）の処理工程について説明する。
なお、以後の説明では、便宜上、室外側から室内側に移送される空気を途中で処理がなされたものも含めて「外気」と称し、室内側から室外側に移送される空気を途中で処理がなされたものも含めて「還気」と称する場合がある。
【００３７】
外気を室内に取り込むべく外気ファン３を駆動させて、室外から除湿ロータ１の除湿ゾーン１ａに外気を導入すると、除湿ロータ１の内部に収納されている吸湿体が外気中の水分を吸収すると同時に、そのときの水和反応等によって発熱する。従って、除湿ゾーン１ａから排出される除湿処理がなされた外気は、高温・低湿度状態となっている。次いで、この高温・低湿度状態の外気を、図１に示すように、通流方向の後方側（室外側）に一旦迂回させてから顕熱回収ロータ２の外気導入ゾーン２ａに導入する。このとき、高温の外気と、後述する室内から顕熱回収ロータ２の還気導入ゾーン２ｂに導入される低温の還気との間で顕熱交換が行われる。すなわち、顕熱回収ロータ２では、外気導入ゾーン２ａに通流される気体の顕熱が回収され、その回収した顕熱は還気導入ゾーン２ｂに通流される気体に放出される。これにより、外気は適温に冷却される。
このようにして、顕熱回収ロータ２から室内に排気（給気）される外気（空調用空気）は、除湿が行われると同時に温度調整が行われる。
【００３８】
一方、還気を室外に排出するべく排気ファン４を駆動させて、室内から顕熱回収ロータ２の還気導入ゾーン２ｂに還気を導入すると、還気は前述した高温・低湿度状態にある外気との間で顕熱交換が行われて昇温される。次いで、顕熱回収ロータ２の還気導入ゾーン２ｂを通過した還気を、図１に示すように、通流方向の後方側（室内側）に一旦迂回させてから再生コイル５を通過させることによりさらに加熱・昇温し、その後除湿ロータ１の再生ゾーン１ｂに導入する。この加熱された高温の還気は除湿ロータ１から脱離した水分を受け取った後、室外に排出される。
このように、除湿ロータ１は、除湿ゾーン１ａに通流される気体の水分を吸着し、その吸着した水分を再生ゾーン１ｂに通流される気体に放出することで、再生が行われる。
【００３９】
〔実施例〕
次に、本発明のデシカントユニット１０を備えたデシカント空調システム５０による一実施例を説明する。
【００４０】
本実施例は、デシカント空調システム５０を一般家庭用住宅設備として設計したものである。このときのデシカントユニット１０のサイズは、直径３００ｍｍ、厚さ５０ｍｍである。ここで、内側に配置される除湿ロータ１のサイズは、直径２００ｍｍ、厚さ５０ｍｍである。また、外側に配置される顕熱回収ロータ２のサイズは、外径３００ｍｍ、内径２００ｍｍ、厚さ５０ｍｍである。従って、除湿ロータ１の有効面積は１．２６×１０5ｍｍ2であり、顕熱回収ロータ２の有効面積は１．５７×１０5ｍｍ2である。つまり、本実施例では、除湿ロータ１の有効面積と顕熱回収ロータ２の有効面積との比が４：５となる。
【００４１】
再生コイル５にはガス給湯器より８０℃の温水が２リットル／分の流量で通流されている。デシカント空調システム５０が設置される環境の条件は、以下のとおりである。
・室外空気（外気）の温度：３０℃
・室外空気（外気）の湿度：６０％（絶対湿度：乾燥空気１ｋｇあたり水分１６ｇ）
・室内空気（還気）の温度：２６℃
・室内空気（還気）の湿度：５０％
【００４２】
外気及び還気の流量を１００ｍ3／時間に設定すると、デシカント空調システム５０によって処理されて室内に給気される空調用空気は、温度３０℃、湿度３０％（絶対湿度：乾燥空気１ｋｇあたり水分７．１ｇ）となった。これは、一般家庭用デシカント空調システムの除湿性能として必要十分な値であった。
【００４３】
〔別実施形態〕
（１）図２は、第１の別実施形態によるデシカントユニット２０を備えたデシカント空調システム６０の概略構成図である。上記実施形態では、デシカントユニット１０の内側（中心側）に円筒状の除湿ロータ１を配置し、外側（円周側）に環状の顕熱回収ロータ２を配置しているが、図２に示すように、デシカントユニット２０の外側（円周側）に環状の除湿ロータ２１を配置し、内側（中心側）に円筒状の顕熱回収ロータ２２を配置することも可能である。この場合、除湿ロータ２１は、除湿ゾーン２１ａと再生ゾーン２１ｂとに区分けされ、顕熱回収ロータ２２は、第１熱交換部としての外気導入ゾーン２２ａと第２熱交換部としての還気導入ゾーン２２ｂとに区分けされる。その他の構成は、上記実施形態と同様であるため、同じ参照符号を付して説明を省略する。
【００４４】
（２）図３は、第２の別実施形態によるデシカントユニット３０を備えたデシカント空調システム７０の概略構成図である。上記実施形態では、デシカント空調システム５０によって行われる室外の空気（外気）及び室内の空気（還気）の処理工程として、除湿ゾーン１ａから排出される除湿処理がなされた高温・低湿度状態の外気を、通流方向の後方側（室外側）に一旦迂回させてから顕熱回収ロータ２の外気導入ゾーン２ａに導入し、一方、顕熱回収ロータ２の還気導入ゾーン２ｂを通過した還気を、通流方向の後方側（室内側）に一旦迂回させてから再生コイル５を通過させることによりさらに加熱・昇温し、その後除湿ロータ１の再生ゾーン１ｂに導入しているが、図３に示すように、外気又は還気を通流方向の後方側に迂回させずに、そのまま反対側から外気導入ゾーン３２ａ又は再生ゾーン３１ｂに導入して夫々次の処理工程を行うこともできる。この場合、除湿ロータ３１は、除湿ゾーン３１ａと再生ゾーン３１ｂとに区分けされ、顕熱回収ロータ３２は、第１熱交換部としての外気導入ゾーン３２ａと第２熱交換部としての還気導入ゾーン３２ｂとに区分けされる。その他の構成は、上記実施形態と同様であるため、同じ参照符号を付して説明を省略する。
【００４５】
（３）図４は、第３の別実施形態によるデシカントユニット４０を備えたデシカント空調システム８０の概略構成図である。この第３の別実施形態は、第１の別実施形態と第２の別実施形態とを組み合わせた構成である。すなわち、デシカントユニット４０の外側（円周側）に環状の除湿ロータ４１を配置し、内側（中心側）に円筒状の顕熱回収ロータ４２を配置し、外気又は還気を通流方向の後方側に迂回させずに、そのまま反対側から外気導入ゾーン４２ａ又は再生ゾーン４１ｂに導入して次の処理工程を行うものである。この場合、除湿ロータ４１は、除湿ゾーン４１ａと再生ゾーン４１ｂとに区分けされ、顕熱回収ロータ４２は、第１熱交換部としての外気導入ゾーン４２ａと第２熱交換部としての還気導入ゾーン４２ｂとに区分けされる。その他の構成は、上記実施形態と同様であるため、同じ参照符号を付して説明を省略する。
【図面の簡単な説明】
【００４６】
【図１】本発明の一つの実施形態によるデシカントユニットを備えたデシカント空調システムの概略構成図
【図２】第１の別実施形態によるデシカントユニットを備えたデシカント空調システムの概略構成図
【図３】第２の別実施形態によるデシカントユニットを備えたデシカント空調システムの概略構成図
【図４】第３の別実施形態によるデシカントユニットを備えたデシカント空調システムの概略構成図
【図５】従来のデシカントを用いたデシカント空調システムとしての除湿空調機の概略構成図
【符号の説明】
【００４７】
１    除湿ロータ
１ａ  除湿ゾーン（吸湿部）
１ｂ  再生ゾーン（再生部）
２    顕熱回収ロータ
２ａ  外気導入ゾーン（第１熱交換部）
２ｂ  還気導入ゾーン（第２熱交換部）
３    外気ファン（空調用空気通流手段）
４    排気ファン（再生用気体通流手段）
１０  デシカントユニット
５０  デシカント空調システム
【図１】
2008249271.tif 000003
【図２】
2008249271.tif 000004
【図３】
2008249271.tif 000005
【図４】
2008249271.tif 000006
【図５】
2008249271.tif 000007